(57)【要約】【課題】  高い展示効果を実現するとともに供給管の配設が容易となる展示装置を提供する。【解決手段】  展示装置１００は、複数の展示用球体を空気により浮上させる浮上装置１０と、浮上装置１０に空気を供給するエアーコンプレッサ２０とで構成されている。浮上装置１０は、固定台６４と、空気を吐出する吐出穴６２ａを有する回転板６２と、固定台６４に設置され回転板６２を回転させるモータ６６と、エアーコンプレッサ２０と吐出穴６２ａを接続する供給管８２とを備える。モータ６６は、固定台６４に固定されるステータ６６ａと、回転板６２に固定されるロータ６６ｂと、軸方向に貫通する中空穴６６ｃとを有する。供給管８２は、中空穴６６ｃを通じて配設されている。【選択図】図４
2009011532.tif 000002
【特許請求の範囲】
【請求項１】
展示物を流体により浮上させて展示する展示装置であって、
固定台と、前記流体を吐出する吐出穴を有する回転板と、前記固定台に設置され前記回転板を回転させる駆動体と、前記流体を供給する流体供給手段と、前記流体供給手段と前記吐出穴を接続する供給管とを備え、
前記駆動体は、前記固定台に固定されるステータと、前記回転板に固定されるロータと、軸方向に貫通する中空穴とを有し、前記供給管は、前記中空穴を通じて配設されていることを特徴とする展示装置。
【請求項２】
請求項１において、
前記供給管は、一端が軸方向に開口し他端が前記吐出穴に接続される回転側配管と、一端が軸方向に開口し他端が前記流体供給手段に接続される固定側配管と、前記回転側配管および前記固定側配管の前記一端同士を接続するロータリージョイントとからなることを特徴とする展示装置。
【請求項３】
請求項２において、
前記回転側配管は、前記吐出穴に接続される中空円筒形状のノズルを有することを特徴とする展示装置。
【請求項４】
請求項１ないし３のいずれか１項において、
前記回転板は、円形でかつ全体が同一色で均一に塗装されていることを特徴とする展示装置。
【請求項５】
請求項１ないし４のいずれか１項において、
前記固定台、前記駆動体および前記供給管を収容する円筒状の筐体を備え、
前記回転板を前記筐体の天板として取り付けたことを特徴とする展示装置。
【請求項６】
請求項５において、
前記筐体および前記回転板は、全体が同一色で均一に塗装されていることを特徴とする展示装置。
【請求項７】
請求項５および６のいずれか１項において、
前記筐体の底部に錘部材を設けたことを特徴とする展示装置。
【発明の詳細な説明】
【技術分野】
【０００１】
本発明は、展示物を流体により浮上させて展示する展示装置に係り、特に、高い展示効果を実現するとともに供給管の配設が容易となる展示装置に関する。
【背景技術】
【０００２】
従来、展示物を展示するにあたっては、展示物の外観を美しく造形して美的効果を高めたり、斬新なレイアウトや意外な演出を採用したりするなどして、展示物への注目を集めて展示効果を高める様々な工夫がなされている。
ここで、展示効果を高める方法として、展示物を流体により浮上させて展示する方法を新たに提案することができる。
【０００３】
なお、流体として空気を用いてボールを浮上させる技術が知られているが（特許文献１）、展示物を流体により浮上させて展示する技術そのものは未だ知られていない。
【特許文献１】特開２００５−１４３９９５号公報
【発明の開示】
【発明が解決しようとする課題】
【０００４】
展示物を流体により浮上させて展示する展示装置を構成する場合は、例えば、基台に吐出穴を形成し、エアーコンプレッサと吐出穴を供給管で接続し、吐出穴から重力方向上方に流体を吐出させ、流体の押し上げにより展示物を浮上させる構成が考えられる。
しかしながら、展示効果をさらに高めるため、展示物を浮上とともに回転させようとした場合、回転機構を組み込む必要があり、回転機構との関係で供給管の配設が難しいという問題が想定される。
【０００５】
特許文献１記載の技術も、ボールを単に浮上させるだけであり回転機構を考慮した構成ではないので、回転機構を備える装置にそのまま適用することは難しい。
そこで、本発明は、このような従来の技術の有する未解決の課題に着目してなされたものであって、高い展示効果を実現するとともに供給管の配設が容易となる展示装置を提供することを目的としている。
【課題を解決するための手段】
【０００６】
〔発明１〕  上記目的を達成するために、発明１の展示装置は、展示物を流体により浮上させて展示する展示装置であって、固定台と、前記流体を吐出する吐出穴を有する回転板と、前記固定台に設置され前記回転板を回転させる駆動体と、前記流体を供給する流体供給手段と、前記流体供給手段と前記吐出穴を接続する供給管とを備え、前記駆動体は、前記固定台に固定されるステータと、前記回転板に固定されるロータと、軸方向に貫通する中空穴とを有し、前記供給管は、前記中空穴を通じて配設されている。
【０００７】
このような構成であれば、流体供給手段から供給される流体が回転板の吐出穴から吐出し、流体の押し上げにより展示物が浮上するとともに、駆動体により回転板が回転するので、展示物は、回転板上に浮上しながら回転板の回転に伴って回転する。
また、駆動体が有する中空穴を通じて、流体供給手段からの供給管が駆動体を軸方向に貫通して回転板の吐出穴に接続されているので、駆動体の回転に影響を受けることなく供給管を配設することができる。
【０００８】
ここで、展示物を浮上させる構成としては、重力方向上方に流体を吐出させ、流体の押し上げにより展示物を浮上させる構成のほか、重力方向上斜めに流体を吐出させ、斜めの位置で展示物を浮上させる構成、または重力方向上斜めに多方向から流体を吐出させ、その交差位置でそれら流体の押し上げにより展示物を浮上させる構成も考えられる。
【０００９】
〔発明２〕  さらに、発明２の展示装置は、発明１の展示装置において、前記供給管は、一端が軸方向に開口し他端が前記吐出穴に接続される回転側配管と、一端が軸方向に開口し他端が前記流体供給手段に接続される固定側配管と、前記回転側配管および前記固定側配管の前記一端同士を接続するロータリージョイントとからなる。
【００１０】
このような構成であれば、回転側配管および固定側配管の一端同士がロータリージョイントにより軸方向に接続されているので、流体供給手段を固定面に設置する場合に、駆動体の回転に影響を受けることなく供給管を配設することができる。
【００１１】
〔発明３〕  さらに、発明３の展示装置は、発明２の展示装置において、前記回転側配管は、前記吐出穴に接続される中空円筒形状のノズルを有する。
このような構成であれば、中空円筒形状のノズルが吐出穴に接続されているので、展示物をきれいに浮上させることができる。
【００１２】
〔発明４〕  さらに、発明４の展示装置は、発明１ないし３のいずれか１の展示装置において、前記回転板は、円形でかつ全体が同一色で均一に塗装されている。
このような構成であれば、回転板は、円形でかつ全体が同一色で均一に塗装されているので、回転板の回転状態が視認しにくくなり、回転板が静止し展示物だけが回転しているかのような視覚的効果が得られる。
【００１３】
〔発明５〕  さらに、発明５の展示装置は、発明１ないし４のいずれか１の展示装置において、前記固定台、前記駆動体および前記供給管を収容する円筒状の筐体を備え、前記回転板を前記筐体の天板として取り付けた。
このような構成であれば、固定台、駆動体および供給管が筐体に収容されて視認できず、円筒状の筐体の天板として回転板が取り付けられて一体となっているので、展示装置の外観を美しく構成することができる。
【００１４】
〔発明６〕  さらに、発明６の展示装置は、発明５の展示装置において、前記筐体および前記回転板は、全体が同一色で均一に塗装されている。
このような構成であれば、筐体および回転板は、全体が同一色で均一に塗装されているので、筐体および回転板の一体感を強調することができる。また、回転板は、全体が同一色で均一に塗装されているので、回転板の回転状態が視認しにくくなり、回転板が静止し展示物だけが回転しているかのような視覚的効果が得られる。
【００１５】
〔発明７〕  さらに、発明７の展示装置は、発明５および６のいずれか１の展示装置において、前記筐体の底部に錘部材を設けた。
このような構成であれば、筐体の底部に錘部材が設けられているので、展示装置の安定性および安全性を確保することができる。
【発明の効果】
【００１６】
以上説明したように、発明１の展示装置によれば、展示物が浮上しながら回転するので、従来に比して、高い展示効果を実現することができるという効果が得られる。また、駆動体の回転に影響を受けることなく供給管を配設することができるので、供給管の配設が容易となるという効果も得られる。
さらに、発明２の展示装置によれば、流体供給手段を固定面に設置する場合に、駆動体の回転に影響を受けることなく供給管を配設することができるので、供給管の配設が容易となるという効果が得られる。
【００１７】
さらに、発明３の展示装置によれば、展示物をきれいに浮上させることができるので、さらに高い展示効果を実現することができるという効果が得られる。
さらに、発明４の展示装置によれば、回転板が静止し展示物だけが回転しているかのような視覚的効果が得られるので、さらに高い展示効果を実現することができるという効果が得られる。
【００１８】
さらに、発明５の展示装置によれば、固定台、駆動体および供給管が筐体に収容されて視認できず、円筒状の筐体の天板として回転板が取り付けられて一体となっているので、展示装置の外観を美しく構成することができるという効果が得られる。
さらに、発明６の展示装置によれば、筐体および回転板の一体感を強調することができるとともに、回転板が静止し展示物だけが回転しているかのような視覚的効果が得られるので、さらに高い展示効果を実現することができるという効果が得られる。
【００１９】
さらに、発明７の展示装置によれば、筐体の底部に錘部材が設けられているので、展示装置の安定性および安全性を確保することができるという効果が得られる。
【発明を実施するための最良の形態】
【００２０】
以下、本発明の実施の形態を図面を参照しながら説明する。図１ないし図６は、本発明に係る展示装置の実施の形態を示す図である。
まず、本発明を適用する展示装置の構成を説明する。
図１は、本発明を適用する展示装置１００の構成を示す図である。
展示装置１００は、転がり軸受内の転動体の動きを、その転動体を模した複数の球体（以下、展示用球体）を空気により押し上げ回転させることにより仮想的に再現し、そのような演出によって展示を行うことを目的とした装置である。
【００２１】
展示装置１００は、図１に示すように、複数の展示用球体を空気により浮上させる浮上装置１０と、浮上装置１０に空気を供給するエアーコンプレッサ２０と、エアーコンプレッサ２０が供給する空気量を調節するエアー調節バルブ３０と、浮上装置１０の天板を回転させるモータ（後述）の回転数を調節するモータドライバ４０と、エアー調節バルブ３０およびモータドライバ４０を制御する制御機５０とを有して構成されている。
【００２２】
次に、浮上装置１０の構成を説明する。
図２は、浮上装置１０の斜視図である。
浮上装置１０は、図２に示すように、架台（不図示）および側面カバーからなる円筒状の筐体６０と、筐体６０の天板として回転可能に取り付けられた回転板６２とを有して構成されている。回転板６２は、筐体６０の軸線を中心軸として図２の矢印の方向に回転する。なお、図２の矢印の方向とは逆方向に回転させることもできる。
【００２３】
図３は、回転板６２の上面図である。
回転板６２は、図３に示すように、円形の平面板からなり、回転板６２上には、同心円上等間隔に複数の吐出穴６２ａが形成されている。吐出穴６２ａは、エアーコンプレッサ２０からの空気を吐出する穴であり、回転板６２の厚さ方向に貫通している。なお、吐出穴６２ａの数は展示用球体の数に相当する。
【００２４】
回転板６２および筐体６０の側面カバーは、全体が同一色で均一に塗装されている。そのため、筐体６０および回転板６２の一体感を強調することができる。また、回転板６２は、円形でかつ全体が同一色で均一に塗装されているので、回転板６２の回転状態が視認しにくくなり、回転板６２が静止し展示用球体だけが回転しているかのような視覚的効果が得られる。
【００２５】
図４は、浮上装置１０の軸方向の断面図である。
筐体６０の内部で架台の上には、図４に示すように、固定台６４が設置されている。固定台６４の上には、モータ６６と、回転板６２と一体に回転する回転体６８とがその順で設置されている。
回転体６８は、下板７０と、下板７０の上に設置された中板７２と、中板７２の上に設置された上板７４とを有して構成されている。下板７０と中板７２、および中板７２と上板７４は、それぞれ複数の支柱により支持されている。上板７４の上面は、回転板６２の裏面に接着されている。
【００２６】
図５は、モータ６６の上面図である。
モータ６６は、図５に示すように、固定台６４に固定されるステータ６６ａと、下板７０に固定されるロータ６６ｂと、軸線上に貫通する中空穴６６ｃとを有するアウターロータ型の中空モータとして構成されている。モータ６６としては、浮上装置１０の回転動作を安定化し、浮上装置１０の安全性と外観の美しさを高めるために、高分解能かつ高トルクで軸および回転面が安定なダイレクトドライブモータ等を採用するのが好ましい。モータ６６が高トルクであれば、浮上装置１０の回転部品の重量が大きくても回転させることができる。
【００２７】
固定台６４および下板７０には、中空穴６６ｃに対応する位置に略同径の貫通穴７６、７８がそれぞれ形成されている。中空穴６６ｃおよび貫通穴７６、７８には、エアーコンプレッサ２０と吐出穴６２ａを接続する供給管８２を収容する配管用中空支柱８０が嵌合している。
供給管８２は、吐出穴６２ａに接続される回転側配管８４と、エアーコンプレッサ２０に接続される固定側配管８６と、回転側配管８４および固定側配管８６を接続するロータリージョイント８８とからなる。
【００２８】
回転側配管８４は、配管用中空支柱８０を通じて配設され、モータ６６の回転軸方向（以下、単に軸方向という。）に延長している。一方、固定側配管８６は、エアーコンプレッサ２０から水平方向に延出し、ロータリージョイント８８との接続端付近で軸方向上方に湾曲している。そして、回転側配管８４および固定側配管８６の一端同士は、配管用中空支柱８０の下方でロータリージョイント８８により軸方向に接続されている。これにより、回転側配管８４は、固定側配管８６との接続を維持しつつ軸方向を回転軸として回転可能となるので、回転板６２および回転体６８と一体に回転することができる。
【００２９】
回転側配管８４のロータリージョイント８８との接続端とは逆側の端部からは、吐出穴６２ａの数に相当する数の配管８４ａが分岐している。各分岐配管８４ａは、中板７２および上板７４に形成される貫通穴を通じて吐出穴６２ａに接続されている。
図６は、分岐配管８４ａの先端の構造を示す図である。
分岐配管８４ａの先端には、図６に示すように、中空円筒形状のノズル８４ｂが取り付けられている。そして、各吐出穴６２ａには、各分岐配管８４ａのノズル８４ｂが接続されている。なお、吐出穴６２ａは、展示用球体が回転板６２に着地しやすいように窪んだ形状となっている。これにより、展示用球体の浮上および着地を円滑に繰り返すことができる。
【００３０】
一方、配管用中空支柱８０の側面には、モータ６６の配線を取り出す取出穴（不図示）が設けられている。モータ６６の配線は、配管用中空支柱８０の取出穴を通じてモータドライバ４０に接続されている。
また、筐体６０の内部で固定台６４の下方には、浮上装置１０の安定性および安全性を確保するために錘部材（不図示）が設置されている。
【００３１】
次に、制御機５０の制御内容を説明する。
制御機５０は、ＲＯＭ等の所定領域に格納されている制御プログラムを起動させ、その制御プログラムに従って、エアー調節バルブ３０およびモータドライバ４０を制御する。これにより、エアーコンプレッサ２０から供給される空気が吐出穴６２ａから吐出し、空気の押し上げにより展示用球体が浮上するとともに、モータ６６により回転板６２が回転するので、展示用球体は、回転板６２上に浮上しながら回転板６２の回転に伴って回転する。
【００３２】
このようにして、本実施の形態では、固定台６４と、空気を吐出する吐出穴６２ａを有する回転板６２と、固定台６４に設置され回転板６２を回転させるモータ６６と、空気を供給するエアーコンプレッサ２０と、エアーコンプレッサ２０と吐出穴６２ａを接続する供給管８２とを備え、モータ６６は、固定台６４に固定されるステータ６６ａと、回転板６２に固定されるロータ６６ｂと、軸方向に貫通する中空穴６６ｃとを有し、供給管８２は、中空穴６６ｃを通じて配設されている。
【００３３】
これにより、展示用球体が浮上しながら回転するので、従来に比して、高い展示効果を実現することができる。また、浮上装置１０を上方から照明すれば、浮上している展示用球体の影が回転板６２の上面に映るので、展示物としての美しさが強調される。さらに、中空穴６６ｃを通じて供給管８２がモータ６６を軸方向に貫通して吐出穴６２ａに接続されているので、モータ６６の回転に影響を受けることなく供給管８２を配設することができ、供給管８２の配設が容易となる。
【００３４】
さらに、本実施の形態では、供給管８２は、一端が軸方向に開口し他端が吐出穴６２ａに接続される回転側配管８４と、一端が軸方向に開口し他端がエアーコンプレッサ２０に接続される固定側配管８６と、回転側配管８４および固定側配管８６の一端同士を接続するロータリージョイント８８とからなる。
これにより、エアーコンプレッサ２０を固定面に設置する場合に、モータ６６の回転に影響を受けることなく供給管８２を配設することができるので、供給管８２の配設が容易となる。
【００３５】
さらに、本実施の形態では、回転側配管８４は、吐出穴６２ａに接続される中空円筒形状のノズル８４ｂを有する。
これにより、展示用球体をきれいに浮上させることができるので、さらに高い展示効果を実現することができる。
さらに、本実施の形態では、回転板６２は、円形でかつ全体が同一色で均一に塗装されている。
【００３６】
これにより、回転板６２の回転状態が視認しにくくなり、回転板６２が静止し展示用球体だけが回転しているかのような視覚的効果が得られるので、さらに高い展示効果を実現することができる。
さらに、本実施の形態では、固定台６４、モータ６６および供給管８２を収容する円筒状の筐体６０を備え、回転板６２を筐体６０の天板として取り付けた。
【００３７】
これにより、固定台６４、モータ６６および供給管８２が筐体６０に収容されて視認できず、円筒状の筐体６０の天板として回転板６２が取り付けられて一体となっているので、浮上装置１０の外観を美しく構成することができる。
さらに、本実施の形態では、筐体６０および回転板６２は、全体が同一色で均一に塗装されている。
【００３８】
これにより、筐体６０および回転板６２の一体感を強調することができる。
さらに、本実施の形態では、筐体６０の底部に錘部材を設けた。
これにより、浮上装置１０の安定性および安全性を確保することができる。
上記実施の形態において、展示用球体は、発明１の展示物に対応し、モータ６６は、発明１または５の駆動体に対応し、エアーコンプレッサ２０は、発明１または２の流体供給手段に対応している。
【００３９】
なお、上記実施の形態においては、浮上装置１０、エアーコンプレッサ２０、エアー調節バルブ３０、モータドライバ４０および制御機５０を別体で構成したが、これに限らず、これらの一部または全部を一体に構成することもできる。
また、上記実施の形態においては、本発明に係る展示装置を、展示用球体を浮上させて展示する構成に適用したが、これに限らず、展示物を浮上させて展示する構成であればどのような構成にも適用することもできる。
【図面の簡単な説明】
【００４０】
【図１】本発明を適用する展示装置１００の構成を示す図である。
【図２】浮上装置１０の斜視図である。
【図３】回転板６２の上面図である。
【図４】浮上装置１０の軸方向の断面図である。
【図５】モータ６６の上面図である。
【図６】分岐配管８４ａの先端の構造を示す図である。
【符号の説明】
【００４１】
１００              展示装置
１０                浮上装置
２０                エアーコンプレッサ
３０                エアー調節バルブ
４０                モータドライバ
５０                制御機
６０                筐体
６２                回転板
６２ａ              吐出穴
６４                固定台
６６                モータ
６６ａ              ステータ
６６ｂ              ロータ
６６ｃ              中空穴
６８                回転体
７０                下板
７２                中板
７４                上板
７６、７８          貫通穴
８０                配管用中空支柱
８２                供給管
８４                回転側配管
８４ａ              分岐配管
８４ｂ              ノズル
８６                固定側配管
８８                ロータリージョイント
【図１】
2009011532.tif 000003
【図２】
2009011532.tif 000004
【図３】
2009011532.tif 000005
【図４】
2009011532.tif 000006
【図５】
2009011532.tif 000007
【図６】
2009011532.tif 000008